(57)【要約】  軽量かつ小形で出力信号の損失と偶数次の高調波の抑制を図る周波数混合器を提供するために、周波数混合器は、ＲＦ信号を受け付ける受信信号入力端と、ＬＯ信号を受け付ける局部発振信号入力端と、受信信号入力端に接続された第１の分配器と、局部発振信号入力端に接続された第２の分配器と、第１の分配器の一方の出力端と第２の分配器の一方の出力端と接続される第１の混合器と、第１の分配器の他方の出力端と９０度の遅延経路を介して接続されると共に第２の分配器の他方の出力端と９０度の遅延経路を介して接続される第２の混合器と、第１の混合器及び第２の混合器に、第１の分配器で分岐される各々のＲＦ信号の信号経路長が揃った長さで接続される結合器と、結合器と接続する出力端と、を用いて構成される。
2017094817.tif 000002
【特許請求の範囲】
【請求項１】
ＲＦ（Radio Frequency）信号を受け付ける受信信号入力端と、
ＬＯ（Local Oscillator）信号を受け付ける局部発振信号入力端と、
前記受信信号入力端に接続された第１の分配器と、
前記局部発振信号入力端に接続された第２の分配器と、
前記第１の分配器の一方の出力端と前記第２の分配器の一方の出力端と接続される第１の混合器と、
前記第１の分配器の他方の出力端と９０度の遅延経路を介して接続されると共に前記第２の分配器の他方の出力端と９０度の遅延経路を介して接続される第２の混合器と、
前記第１の混合器及び前記第２の混合器に、前記第１の分配器で分岐される各々のＲＦ信号の信号経路長が揃った長さで接続される結合器と、
前記結合器と接続する出力端と、
を具備する周波数混合器。
【請求項２】
前記第１の混合器と前記第２の混合器を各々含む信号経路は、変換損失が揃った値を有する請求項１記載の周波数混合器。
【請求項３】
前記第１の混合器及び第２の混合器でダブルバランスミキサを形成する請求項１又は２に記載の周波数混合器。
【請求項４】
前記受信信号入力端から前記出力端までの信号経路を受動回路で形成する請求項１ないし３の何れか一項に記載の周波数混合器。
【請求項５】
それぞれの信号経路をマイクロストリップラインで構成する請求項１ないし４の何れか一項に記載の周波数混合器。
【請求項６】
前記第１の分配器、前記第２の分配器、及び前記結合器をそれぞれウィルキンソンディバイダ、それぞれの９０度の遅延経路を各々の波長に合わせたλ/4のディレイラインで構成する請求項１ないし５の何れか一項に記載の周波数混合器。
【請求項７】
前記第１の分配器及び前記第２の分配器、それぞれの９０度の遅延経路を一括してハイブリットを用いて形成する請求項１ないし５の何れか一項に記載の周波数混合器。
【請求項８】
前記第１の分配器から前記結合器までの信号経路内に、帯域フィルタを具備しない請求項１ないし７の何れか一項に記載の周波数混合器。
【請求項９】
前記請求項１ないし７の何れか一項に記載の周波数変換器を含み、Ｃバンド、Ｋｕバンド、Ｋａバンド、の何れかでＬＯ信号の偶数次の高調波が通信帯域内に入り込む関係にあるアップ／ダウンリンクを採用する衛星搭載用周波数変換装置。
【請求項１０】
請求項９に記載の衛星搭載用周波数変換装置を搭載した人工衛星。
【請求項１１】
受信信号入力端及び局部発振信号入力端からＲＦ信号及びＬＯ信号を受け付け、
前記ＲＦ信号及びＬＯ信号をそれぞれ２つに分波し、
分波された前記ＲＦ信号及びＬＯ信号のそれぞれの一方の信号波相互を第１の混合波信号として混合し、
分波された前記ＲＦ信号及びＬＯ信号のそれぞれの他方の信号波を９０度遅延させ、遅延させた信号波相互を第２の混合波信号として混合し、
前記第１の混合波信号と第２の混合波信号をＩＦ（Intermediate Frequency）信号に同位相で合波し、生成信号波を中間周波数出力端から出力する、
周波数混合器による中間周波数信号生成方法。
【発明の詳細な説明】
【技術分野】
【０００１】
本発明は、高周波信号（ＲＦ(Radio Frequency)信号）と局部発振信号（ＬＯ(Local Oscillator)信号）から中間周波数信号（ＩＦ(Intermediate Frequency)信号）を生成する周波数混合器に関する。
【背景技術】
【０００２】
周波数混合器は、多くの通信機器で用いられている。周波数混合器は、入力信号として高周波信号と局部発振信号を受け付け、その両信号波を合波して中間周波数信号として合成信号を出力する。また、周波数混合器には、所望の帯域フィルタが設けられることも多い。【０００３】
図４は、簡易的に示したある一つの周波数混合器である。この周波数混合器は、帯域フィルタを具備している。この帯域フィルタを有することで、この周波数混合器は、出力する合成信号に含まれる不要な帯域成分を除去した中間周波数信号を出力できる。【０００４】
また、他の周波数混合器の構成例は、特許文献１や特許文献２、特許文献３に記載されている。【０００５】
特許文献１には、周波数混合器の構成要素となる混合器（ミキサ）と分配器と移相器が記載されている。特許文献１に記載された周波数混合器は、特徴ある帯域フィルタ（具体的にはＬＰＦ：Low-Pass Filter）を内在することで、イメージ信号を除去している。【０００６】
また、特許文献２には、ベースバンド信号の直交成分（Ｉ成分，Ｑ成分）各々をＲＦ信号に混合する周波数変換装置が記載されている。この周波数変換装置は、イメージ信号を抑圧するための仕組みを有する特徴あるミキサが具備されている。また、この周波数変換装置は、ミキサの前段と後段側にそれぞれ帯域フィルタを具備している。【０００７】
特許文献３には、４次高調波ミキサを用いて、イメージ信号と共に幾つかの高調波成分を抑圧する周波数混合器が開示されている。
【先行技術文献】
【特許文献】
【０００８】
【特許文献１】特開２００２−０４３８５３号公報
【特許文献２】特開２００４−３４９７８９号公報
【特許文献３】国際公開第２００９／０４４４５１号
【発明の概要】
【発明が解決しようとする課題】
【０００９】
上記図４に例示した周波数混合器は、出力信号に含まれてしまう高調波成分を帯域フィルタで除去している。【００１０】
多くの周波数変換装置や周波数混合器の回路構成では、周波数混合器の後に狭帯域な帯域フィルタを組み込み、局部発振信号の高調波を抑圧する構成を具備している。【００１１】
この帯域フィルタを具備する周波数変換装置や周波数混合器の構成では、局部発振信号の高調波成分を抑圧する際に、その帯域フィルタの影響が出力波（ＩＦ信号）に現れる。
多くの場合、この影響が顕著な周波数帯域（周波数範囲）は、システムの設計時にその周波数帯域を避けていた。【００１２】
例えば、人工衛星や宇宙機などの通信システムに組み込む周波数変換装置では、アップリンク信号とダウンリンク信号の周波数の関係性から、帯域フィルタの影響が強く及ぶ周波数帯域を通信帯域から除外している。これは、現実の人工衛星や宇宙機などの通信システムで用いるアップリンク／ダウンリンク周波数が衛星などの通信周波数帯域内に周波数変換装置の局部発振信号の高調波成分が落ち込む組合せが多いためである。【００１３】
また、この帯域フィルタには、多くの場合、急峻な帯域阻止特性が求められ、Ｑ値の高い帯域フィルタが必要となる。その結果、フィルタ回路の規模が大きくなってしまう問題を含んでいる。換言すれば、フィルタ回路の規模が機器の小型化や低廉化の一つの制約になっている。【００１４】
発明者は、今後の様々な分野での周波数変換装置を想定し、より小型・軽量な機能性の高い周波数混合器を検討する。【００１５】
この検討過程で、現状の周波数変換器内で帯域フィルタを用いてフィルタしていた阻止帯域（既存の手法では利用帯域から除外していた帯域）を使用可能にする小規模な周波数混合器の回路構成の検討を試みる。特許文献１ないし３には、発明者が所望する機能を満足する回路構成は記載されていなかった。【００１６】
本発明は、上記背景のもとで、出力信号の損失と偶数次の高調波の抑制を図る周波数混合器の提供を目的とする。【００１７】
更に別の目的は、軽量かつ小形の上記周波数混合器を提供することにある。
【課題を解決するための手段】
【００１８】
本発明の一実施形態に係る周波数混合器は、ＲＦ信号を受け付ける受信信号入力端と、ＬＯ信号を受け付ける局部発振信号入力端と、前記受信信号入力端に接続された第１の分配器と、前記局部発振信号入力端に接続された第２の分配器と、前記第１の分配器の一方の出力端と前記第２の分配器の一方の出力端と接続される第１の混合器と、前記第１の分配器の他方の出力端と９０度の遅延経路を介して接続されると共に前記第２の分配器の他方の出力端と９０度の遅延経路を介して接続される第２の混合器と、前記第１の混合器及び前記第２の混合器に、前記第１の分配器で分岐される各々のＲＦ信号の信号経路長が揃った長さで接続される結合器と、前記結合器と接続する出力端と、を具備する。【００１９】
本発明の一実施形態に係る周波数混合器による中間周波数信号生成方法は、受信信号入力端及び局部発振信号入力端からＲＦ信号及びＬＯ信号を受け付け、前記ＲＦ信号及びＬＯ信号をそれぞれ２つに分波し、分波された前記ＲＦ信号及びＬＯ信号のそれぞれの一方の信号波相互を第１の混合波信号として混合し、分波された前記ＲＦ信号及びＬＯ信号のそれぞれの他方の信号波を９０度遅延させ、遅延させた信号波相互を第２の混合波信号として混合し、前記第１の混合波信号と第２の混合波信号をＩＦ信号に同位相で合波し、生成信号波を中間周波数出力端から出力する。
【発明の効果】
【００２０】
本発明によれば、出力信号の損失と偶数次の高調波の抑制を図る周波数混合器を提供できる。【００２１】
また、本発明によれば、同等の機能を具備する周波数混合器よりも軽量で小形の上記周波数混合器を提供できる。
【図面の簡単な説明】
【００２２】
【図１】本発明の一実施形態にかかる周波数混合器の回路構成を示すブロック図である。
【図２】一構成例にかかる周波数混合器の内部構成を示すブロック図である。
【図３】別の一構成例にかかる周波数混合器の内部構成を示すブロック図である。
【図４】周波数混合器の例を示したブロック図である。
【発明を実施するための形態】
【００２３】
本発明の実施形態を図面を参照しながら説明する。
【００２４】
図１は、一実施形態にかかる周波数混合器１の回路構成を示すブロック図である。
【００２５】
図１に示すように、周波数混合器１は、受信信号（ＲＦ信号）を受け付ける入力端１１と、局部発振信号（ＬＯ信号）を受け付ける入力端１２と、中間周波数信号（ＩＦ信号）を出力する出力端１３とを入出力端として有する。
【００２６】
また、周波数混合器１は、構成要素として、第１の分配器１４、第２の分配器１５、第１の混合器１６、第２の混合器１７、及び結合器１８を具備する。
【００２７】
各々の構成要素は、図１に示すように次のように接続される。 
第１の分配器１４の入力は、受信信号用の入力端１１に接続される。 
第２の分配器１５の入力は、局部発振信号用の入力端１２に接続される。 
第１の混合器１６のそれぞれの入力は、第１の分配器１４と第２の分配器１５のそれぞれの一出力と接続される。
第２の混合器１７のそれぞれの入力は、第１の分配器１４と第２の分配器１５のそれぞれの一出力とおのおの９０度の遅延経路を介して接続される。この遅延経路は、例えば、９０度移相器を用いて構成してもよいし、ディレイラインを用いて形成してもよい。
【００２８】
結合器１８は、第１の混合器１６及び第２の混合器１７に、第１の分配器１４で２分岐される各々のＲＦ信号の信号経路長が論理的に揃った長さで接続される。
【００２９】
異なる観点で説明すれば、周波数混合器１の内部構造は、次のようにも説明できる。
【００３０】
第１及び第２の混合器１６，１７を並列に配置する。
【００３１】
第２の混合器１７は、第１の混合器１６の接続関係と比較して、受信信号（ＲＦ信号）と局部発振信号（ＬＯ信号）をそれぞれ９０度の位相遅延を持たせつつ、第１の混合器１６と第２の混合器１７の出力信号を中間周波数信号（ＩＦ信号）に同位相で結合する。
【００３２】
このことで、周波数混合器１は、出力信号（ＩＦ信号）を、損失なく合成できる。加えて、周波数混合器１は、周波数混合で生じる損失の低減と、出力信号の偶数次の高調波成分の抑制とを、同時に図ることができる。
【００３３】
ここで、周波数混合器１の動作原理を説明する。
【００３４】
受信信号(RF) ε１cosω１ｔ は、第１の分配器１４に入力されると、その内部で同位相で分配される。分配された受信信号(RF)の一方は、第１の混合器１６の入力端ではε１/2・cosω１ｔ となる。また、分配された受信信号(RF)の他方は、混合器１７の入力端では90度遅延経路によりε１/2・cos(ω１ｔ+π/2) となる。
【００３５】
同様に、局部発振信号(LO) ε0cosω0ｔ は、第２の分配器１５に入力されると、その内部で同位相で分配される。分配された局部発振信号(LO)の一方は、第１の混合器１６の入力端ではε0/2・cosω0ｔ となる。また、分配された局部発振信号(LO)の他方は、混合器１７の入力端では90度遅延経路によりε0/2・cos(ω0t+π/2)となる。
【００３６】
第１の混合器１６で周波数変換された第１の混合波信号（所要のＩＦ信号１）は、a21・ε1・ε0/4・cos(ω1-ω0)t となる。この第１の混合波信号に含まれるＬＯ信号の偶数(2n)倍の高調波成分は、a2n1/2n・(εo/2)2n cos(2nω0)tとなる。ここで、a21は第１の混合器１６の変換損失であり、a2n1は2n次の項の変換損失である。
【００３７】
同様に、第２の混合器１７で周波数変換された第２の混合波信号（所要のＩＦ信号２）は、 a22・ε1/2・ε0/2・cos(ω1ｔ+π/2-(ω0ｔ+π/2))となり、a22・ε1・ε0/4・cos(ω1-ω0)t となる。この第２の混合波信号に含まれるＬＯ信号の偶数(2n)倍の高調波成分は、a2n2/2n・(εo/2)2n cos(2nω0t+(2n-1)π)となる。ここで、cos(2nω0t+(2n-1)π)＝-cos(2nω0t)であるので、第２の混合波信号に含まれるＬＯ信号の偶数(2n)倍の高調波成分は、-a2n2/2n・(εo/2)2n cos(2nω0t)となる。なお、a22は第２の混合器１７の変換損失であり、a2n2は2n次の項の変換損失である。
【００３８】
第１及び第２の混合器１６，１７でそれぞれ生成された第１及び第２の混合波信号の変換損失が全く等しい（a21＝a22、a2n1＝a2n2）場合、結合器１８で損失無く同相合成されるため、出力信号（ＩＦ）は、a21/2・ε1・ε0・cos(ω1-ω0)tとなる。また、ＬＯ信号の偶数(2n)倍の成分については逆符号のためキャンセルされる。この数式から自明なように、出力信号（ＩＦ）に偶数倍の高調波成分が含まれていない。すなわち、この回路構成によれば、偶数倍の高調波成分を理論上キャンセルして抑圧した信号波で出力信号（ＩＦ）を出力できる。
【００３９】
[構成例１] 
構成例１では、人工衛星に搭載することに好適な周波数混合器の回路構成を説明する。
【００４０】
図２は、本構成例にかかる周波数混合器２の内部構成を示すブロック図である。本構成例では、周波数混合器２をアップリンク周波数３０ＧＨｚ帯、ダウンリンク周波数２０ＧＨｚ帯のＫａバンド周波数変換器に適用する。
【００４１】
この場合、ＬＯ信号周波数は１０ＧＨｚ、その２倍の高調波は２０ＧＨｚになり、ダウンリンクの周波数帯に落ち込む。ＬＯ信号の２倍の高調波に対する必要な抑圧量は、出力信号比で50dBとする。
【００４２】
第１の混合器１６、第２の混合器１７は、ダブルバランスミキサを使用し、偶数次のＬＯ信号のスプリアスが30dB程度抑圧できる特性の混合器を用いる。
【００４３】
それぞれの信号経路は、マイクロストリップラインで構成する。
【００４４】
各信号経路は、第１及び第２の分配器１４，１５、及び結合器１８を含み、この例では、第１及び第２の分配器１４，１５、及び結合器１８はウィルキンソンディバイダを用いている。また、９０度遅延経路(９０度移相器)はそれぞれＲＦ信号及びＬＯ信号の波長に合わせたλ/4のディレイラインを使用して構成している。
【００４５】
このように、入力端１１から出力端１３までの信号経路を受動回路で形成する。なお、受動回路で形成せずとも、能動素子を用いた位相器で第１の混合器１６と第２の混合器１７の入力信号の位相差が９０度になる回路構成を採用してもよい。例えば、第１の分配器１４の出力の両方に増幅器を挿入し、第１の混合器１６の経路と比較して第２の混合器１７の経路のみを９０度位相遅れが生じるようにバイアス設定すればよい。
【００４６】
この回路構成で周波数混合器２を構成して動作させることで、小規模な回路で出力信号の高調波成分について20dB〜30dBの抑圧特性が得られる。
【００４７】
この回路構成によれば、第１及び第２の混合器１６，１７のダブルバランスミキサの抑圧量30dBと合わせ、結合器１８の後に帯域フィルタを設けなくとも、多くの設計で求められる必要抑圧量（50dB）を満足できる。
【００４８】
換言すれば、この回路構成によれば、第１の及び第２の混合器１６，１７の前段（第１の分配器１４から第１又は第２の混合器１６，１７まで）に帯域フィルタを設けなくとも、抑圧量（50dB）を満足できる。
【００４９】
同様に、この回路構成によれば、第１の及び第２の混合器１６，１７の後段（第１又は第２の混合器１６，１７から結合器１８まで）に帯域フィルタを設けなくとも、抑圧量（50dB）を満足できる。
【００５０】
衛星や宇宙機などの周波数変換装置は、［背景技術］の欄で説明したように、アップリンク信号とダウンリンク信号の周波数の関係性から、使用周波数帯域内に局部発振信号の高調波成分が落ち込む組合せが現実に多い。また、人工衛星や宇宙機に搭載される周波数変換器の機器数は、通信チャネルの増強や衛星システムの構成変更などに伴い、増える傾向にある。このような課題に対して、周波数混合器２は、良好な解決解になる。
【００５１】
また、周波数混合器２は、Ｋａバンド同様に、Ｃバンド（６ＧＨｚ／４ＧＨｚ）、Ｋｕバンド（１８ＧＨｚ／１２ＧＨｚ）等、ＬＯ信号の偶数次の高調波が通信帯域内に入り込むアップ／ダウンリンクに有益な特性を発揮できる。
【００５２】
[構成例２] 
図３は、別の一構成例にかかる周波数混合器３の内部構成を示すブロック図である。
【００５３】
構成例１では第１及び第２の分配器をウィルキンソンディバイダ、両９０度遅延経路を各々ディレイラインで構成する態様を説明した。この構成に変えて、第１及び第２の分配器、両９０度遅延経路を、ブランチラインタイプのハイブリットを用いて形成することも可能である。
【００５４】
［効果の説明］ 
本発明により、以下の効果が得られる。
【００５５】
上記周波数混合器の回路構成により、偶数次のＬＯ信号の高調波成分を抑圧した中間周波数信号を、帯域フィルタを使用することなく生成可能になる。この結果、今まで帯域フィルタを用いることで使用不可能になっていた帯域が使用可能になる。
【００５６】
人工衛星などに搭載する周波数変換装置に組み込む周波数混合器の回路構成を上記説明したように形成することで、生成される不要波成分のうち、特に偶数次の局部発信号の高調波成分を抑圧して、その影響を軽減することができる。
【００５７】
以上説明したように、本発明を適用した周波数混合器は、出力信号の損失と偶数次の高調波の抑制を図れる。同様に、帯域フィルタを用いないことで、同等の機能を発揮する周波数混合器よりも軽量化、小型化できる。
【００５８】
なお、実施形態及び／又は構成例を例示して本発明を説明した。しかし、本発明の具体的な構成は前述の実施形態に限られるものではなく、この発明の要旨を逸脱しない範囲の変更があってもこの発明に含まれる。例えば、上述した実施形態及び／又は構成例のブロック構成の分離併合などの変更は本発明の趣旨および説明される機能を満たせば自由であり、上記説明が本発明を限定するものではない。
【００５９】
また、上記の実施形態の一部又は全部は、以下のようにも記載されうる。尚、以下の付記は本発明をなんら限定するものではない。
［付記１］
ＲＦ信号を受け付ける受信信号入力端と、
ＬＯ信号を受け付ける局部発振信号入力端と、
前記受信信号入力端に接続された第１の分配器と、
前記局部発振信号入力端に接続された第２の分配器と、
前記第１の分配器の一方の出力端と前記第２の分配器の一方の出力端と接続される第１の混合器と、
前記第１の分配器の他方の出力端と９０度の遅延経路を介して接続されると共に前記第２の分配器の他方の出力端と９０度の遅延経路を介して接続される第２の混合器と、
前記第１の混合器及び前記第２の混合器に、前記第１の分配器で分岐される各々のＲＦ信号の信号経路長が揃った長さで接続される結合器と、
前記結合器と接続する出力端と、
を具備する周波数混合器。
【００６０】
［付記２］
前記第１の混合器と前記第２の混合器を各々含む信号経路は、変換損失が揃った値を有する上記付記記載の周波数混合器。
【００６１】
［付記３］
前記第１の混合器及び第２の混合器でダブルバランスミキサを形成する上記付記記載の周波数混合器。
【００６２】
［付記４］
前記受信信号入力端から前記出力端までの信号経路を受動回路で形成する上記付記記載の周波数混合器。
【００６３】
［付記５］
それぞれの信号経路をマイクロストリップラインで構成する上記付記記載の周波数混合器。
【００６４】
［付記６］
前記第１の分配器、前記第２の分配器、及び前記結合器をそれぞれウィルキンソンディバイダ、それぞれの９０度の遅延経路を各々の波長に合わせたλ/4のディレイラインで構成する上記付記記載の周波数混合器。
【００６５】
［付記７］
前記第１の分配器及び前記第２の分配器、それぞれの９０度の遅延経路を一括してハイブリットを用いて形成する上記付記記載の周波数混合器。
【００６６】
［付記８］
前記第１の分配器から前記結合器までの信号経路内に、帯域フィルタを具備しない上記付記記載の周波数混合器。
【００６７】
［付記９］
上記付記記載の周波数変換器を含み、Ｃバンド、Ｋｕバンド、Ｋａバンド、の何れかでＬＯ信号の偶数次の高調波が通信帯域内に入り込む関係にあるアップ／ダウンリンクを採用する衛星搭載用周波数変換装置。
【００６８】
［付記１０］
上記付記記載の衛星搭載用周波数変換装置を搭載した人工衛星。
【００６９】
［付記１１］
受信信号入力端及び局部発振信号入力端からＲＦ信号及びＬＯ信号を受け付け、
前記ＲＦ信号及びＬＯ信号をそれぞれ２つに分波し、
分波された前記ＲＦ信号及びＬＯ信号のそれぞれの一方の信号波相互を第１の混合波信号として混合し、
分波された前記ＲＦ信号及びＬＯ信号のそれぞれの他方の信号波を９０度遅延させ、遅延させた信号波相互を第２の混合波信号として混合し、
前記第１の混合波信号と第２の混合波信号をＩＦ信号に同位相で合波し、生成信号波を中間周波数出力端から出力する、
周波数混合器による中間周波数信号生成方法。
【００７０】
この出願は、２０１５年１２月４日に出願された日本出願特願２０１５−２３７７２３を基礎とする優先権を主張し、その開示の全てをここに取り込む。
【産業上の利用可能性】
【００７１】
本発明は、人工衛星用周波数変換器など、局部発振信号の偶数倍の高調波の影響が無視できない機器に組み込む周波数混合器に好適である。
【符号の説明】
【００７２】
１，２，３    周波数混合器
１１  入力端（受信信号（ＲＦ信号））
１２  入力端（局部発振信号（ＬＯ信号））
１３  出力端（中間周波数信号（ＩＦ信号））
１４  第１の分配器（受信信号（ＲＦ信号）用）
１５  第２の分配器（局部発振信号（ＬＯ信号）用）
１６  第１の混合器
１７  第２の混合器
１８  結合器
【図１】
2017094817.tif 000003
【図２】
2017094817.tif 000004
【図３】
2017094817.tif 000005
【図４】
2017094817.tif 000006
【手続補正書】
【提出日】平成30年5月9日(2018.5.9)
【手続補正１】
【補正対象書類名】特許請求の範囲
【補正対象項目名】全文
【補正方法】変更
【補正の内容】
【特許請求の範囲】
【請求項１】
ＲＦ（Radio Frequency）信号を受け付ける受信信号入力端と、
ＬＯ（Local Oscillator）信号を受け付ける局部発振信号入力端と、
前記受信信号入力端に接続された第１の分配器と、
前記局部発振信号入力端に接続された第２の分配器と、
前記第１の分配器の一方の出力端と前記第２の分配器の一方の出力端と接続される第１の混合器と、
前記第１の分配器の他方の出力端と９０度の遅延経路を介して接続されると共に前記第２の分配器の他方の出力端と９０度の遅延経路を介して接続される第２の混合器と、
前記第１の混合器及び前記第２の混合器に、前記第１の分配器で分岐される各々のＲＦ信号の信号経路長が揃った長さで接続される結合器と、
前記結合器と接続する出力端と、
を具備する周波数混合器。
【請求項２】
前記第１の混合器と前記第２の混合器を各々含む信号経路は、変換損失が揃った値を有する請求項１記載の周波数混合器。
【請求項３】
前記第１の混合器及び第２の混合器でダブルバランスミキサを形成する請求項１又は２に記載の周波数混合器。
【請求項４】
前記受信信号入力端から前記出力端までの信号経路を受動回路で形成する請求項１ないし３の何れか一項に記載の周波数混合器。
【請求項５】
それぞれの信号経路をマイクロストリップラインで構成する請求項１ないし４の何れか一項に記載の周波数混合器。
【請求項６】
前記第１の分配器、前記第２の分配器、及び前記結合器をそれぞれウィルキンソンディバイダ、それぞれの９０度の遅延経路を各々の波長に合わせたλ/4のディレイラインで構成する請求項１ないし５の何れか一項に記載の周波数混合器。
【請求項７】
前記第１の分配器及び前記第２の分配器、それぞれの９０度の遅延経路を一括してハイブリットを用いて形成する請求項１ないし５の何れか一項に記載の周波数混合器。
【請求項８】
前記第１の分配器から前記結合器までの信号経路内に、帯域フィルタを具備しない請求項１ないし７の何れか一項に記載の周波数混合器。
【請求項９】
請求項１ないし７の何れか一項に記載の周波数混合器を含み、Ｃバンド、Ｋｕバンド、Ｋａバンド、の何れかでＬＯ信号の偶数次の高調波が通信帯域内に入り込む関係にあるアップ／ダウンリンクを採用する衛星搭載用周波数変換装置。
【請求項１０】
受信信号入力端及び局部発振信号入力端からＲＦ信号及びＬＯ信号を受け付け、
前記ＲＦ信号及びＬＯ信号をそれぞれ２つに分波し、
分波された前記ＲＦ信号及びＬＯ信号のそれぞれの一方の信号波相互を第１の混合波信号として混合し、
分波された前記ＲＦ信号及びＬＯ信号のそれぞれの他方の信号波を９０度遅延させ、遅延させた信号波相互を第２の混合波信号として混合し、
前記第１の混合波信号と第２の混合波信号をＩＦ（Intermediate Frequency）信号に同位相で合波し、生成信号波を中間周波数出力端から出力する、
周波数混合器による中間周波数信号生成方法。
【国際調査報告】
2017094817.tif 000007
2017094817.tif 000008
2017094817.tif 000009
2017094817.tif 000010